(57)【要約】【課題】作業性が良好で、耐久性に優れ、修繕やリフォーム、及び廃棄処理やリサイクルの容易な断熱材固定部材を提供する。【解決手段】膨出部からなる瓦支持部２と、その下部の両側に長さ方向に対して略垂直方向に延設された断熱材支持部３ａ、３ｂとからなることを特徴とする断熱材固定部材１である。【選択図】図１
2005054431.tif 000002
【特許請求の範囲】
【請求項１】
膨出部からなる瓦支持部と、その下部の片側又は両側に長さ方向に対して略垂直方向に延設された断熱材支持部とからなることを特徴とする断熱材固定部材。
【請求項２】
瓦支持部に瓦係合部を設けた請求項１記載の断熱材固定部材。
【請求項３】
瓦支持部を形成する膨出部の側壁及び／又は断熱材支持部に断熱材係合部を設けた請求項１又は２記載の断熱材固定部材。
【請求項４】
裏面に長さ方向に対して略垂直方向に排水溝を設けた請求項１〜３のいずれか１項に記載の断熱材固定部材。
【請求項５】
発泡合成樹脂からなる請求項１〜４のいずれか１項に記載の断熱材固定部材。
【請求項６】
発泡合成樹脂がポリスチレン系樹脂からなる請求項５記載の断熱材固定部材。
【請求項７】
発泡合成樹脂がポリプロピレン系樹脂からなる請求項５記載の断熱材固定部材。
【請求項８】
発泡倍率が２〜１０倍である請求項５〜７のいずれか１項に記載の断熱材固定部材。
【請求項９】
発泡倍率が２〜３倍である請求項５〜８のいずれか１項に記載の断熱材固定部材。
【請求項１０】
請求項１〜９のいずれか１項に記載の断熱材固定部材を野地板上に敷設した防水シートの上に固定し、前記断熱材固定部材の断熱材支持部上に断熱材を配設し、前記断熱材固定部材の膨出部からなる瓦支持部に瓦を固定することを特徴とする瓦屋根外断熱工法。
【発明の詳細な説明】
【技術分野】
【０００１】
本発明は断熱材固定部材及びこれを用いた瓦屋根外断熱工法に関し、更に詳しくは、作業性が良好で、耐久性に優れ、修繕やリフォームがし易く、廃棄処分やリサイクルの容易な断熱材固定部材及び該固定部材を用いた瓦屋根外断熱工法に関する。
【背景技術】
【０００２】
従来、戸建住宅にあっては、屋根下の小屋裏空間部をロフトや収納空間として利用する場合があり、暑さや寒さ対策として屋根断熱が必要である。
【０００３】
このような屋根断熱工法としては、垂木間に断熱材を挟み込む内断熱工法と、瓦の形状に合わせて成形した発泡ポリスチレン成形品を接着剤で固定する外断熱工法とが実施されているが、後者の外断熱工法が下記の理由により優れていると云える。
【０００４】
（１）強風による瓦の飛散防止対策として、瓦を釘で野地板に全数固定する仕様になりつつあるが、野地板が結露等により腐ると釘が効かなくなる。従って、長期に亘って屋根の性能を維持するには、野地板の結露を断熱材で防止する必要がある。
【０００５】
（２）屋根の漏水対策として、アスファルトルーフィングやゴムアスルーフィング等の防水シートを野地板上に敷設することが一般的になされているが、これらが熱劣化すると防水シートとしての性能は期待できない。そこで、断熱材により防水シートの熱劣化を防止する必要がある。
【０００６】
外断熱工法については、例えば、屋根瓦と同一の波型形状表面を有し、複数の孔が形成されている支持板上に樹脂発泡シートを添わせ、前記孔を介して前記樹脂発泡シートを吸引することにより前記支持板の波型形状に追従させた樹脂発泡シートを屋根瓦に接着剤により貼着する方法が提案されている（例えば、特許文献１参照）。
【特許文献１】特開平９−１５１５７１号公報（図１、図２）
【発明の開示】
【発明が解決しようとする課題】
【０００７】
しかしながら、上記のように瓦と樹脂発泡シートを貼着させる方法は、予め瓦と同一の波型形状を有する支持板を必要とするとともに、該支持板に樹脂発泡シートを添わせるための吸引装置を必要とし、更に瓦に接着剤により接着する工程を必要とするため、操作が極めて煩雑になるばかりでなく、設備コストの上昇も避けられない。
【０００８】
また、接着剤の耐久性にも問題があり、更に、樹脂発泡シートは瓦と接着されているため、樹脂発泡シートの膨張、収縮に対して追従性がなく、その結果、使用している間に該シートが瓦から剥離する虞れがある。更にまた、瓦の形状によっては樹脂発泡シートの貼着が困難な場合があり、瓦の形状の自由度が制限される。
【０００９】
更に、修繕やリフォームも容易ではなく、また、使用後に廃棄やリサイクルする場合に、断熱材を瓦から分離する必要があり、廃棄処分やリサイクルが容易ではない。
【００１０】
本発明はかかる実情に鑑み、上記従来技術の問題点を解決するもので、特定の断熱材固定部材を用いて防水シート上に断熱材を敷設するとともに瓦を固定することにより、高価な吸引装置や煩雑な接着工程が不要で、大巾な合理化や省力化が達成されるとともに、接着剤を使用しないので、断熱材の膨張・収縮や接着剤の劣化に因る断熱材の瓦からの剥離がなく、また瓦と断熱材とは釘等により物理的に固定されているだけであるため、修繕やリフォームが容易で、更に廃棄処分やリサイクルも容易な断熱材固定部材及び該固定部材を用いた瓦屋根外断熱工程を提供することを目的とする。
【課題を解決するための手段】
【００１１】
本発明は上記目的を達成するためになされたもので、本発明の請求項１は、膨出部からなる瓦支持部と、その下部の片側又は両側に長さ方向に対して略垂直方向に延設された断熱材支持部とからなることを特徴とする断熱材固定部材を内容とする。
【００１２】
本発明の請求項２は、瓦支持部に瓦係合部を設けた請求項１記載の断熱材固定部材を内容とする。
【００１３】
本発明の請求項３は、瓦支持部を形成する膨出部の側壁及び／又は断熱材支持部に断熱材係合部を設けた請求項１又は２記載の断熱材固定部材を内容とする。
【００１４】
本発明の請求項４は、裏面に長さ方向に対して略垂直方向に排水溝を設けた請求項１〜３のいずれか１項に記載の断熱材固定部材を内容とする。
【００１５】
本発明の請求項５は、発泡合成樹脂からなる請求項１〜４のいずれか１項に記載の断熱材固定部材を内容とする。
【００１６】
本発明の請求項６は、発泡合成樹脂がポリスチレン系樹脂からなる請求項５記載の断熱材固定部材を内容とする。
【００１７】
本発明の請求項７は、発泡合成樹脂がポリプロピレン系樹脂からなる請求項５記載の断熱材固定部材を内容とする。
【００１８】
本発明の請求項８は、発泡倍率が２〜１０倍である請求項５〜７のいずれか１項に記載の断熱材固定部材を内容とする。
【００１９】
本発明の請求項９は、発泡倍率が２〜３倍である請求項５〜８のいずれか１項に記載の断熱材固定部材を内容とする。
【００２０】
本発明の請求項１０は、請求項１〜９のいずれか１項に記載の断熱材固定部材を野地板上に敷設した防水シートの上に固定し、前記断熱材固定部材の断熱材支持部上に断熱材を配設し、前記断熱材固定部材の膨出部からなる瓦支持部に瓦を固定することを特徴とする瓦屋根外断熱工法を内容とする。
【発明の効果】
【００２１】
本発明は固定部材を用いて断熱材及び瓦を固定するので、瓦と断熱材を接着する場合に必要な瓦と同一の波型形状を有する支持板や、これに断熱材を添わせるための吸引装置や、該断熱材を瓦に接着剤により貼着させる工程は一切不要で、大巾な合理化、省力化が達成される。
【００２２】
また、本発明は接着剤を使用しないので接着剤の耐久性に左右されることがなく、従って、断熱構造の耐久性を大巾に向上させることができる。
【００２３】
また、本発明は接着剤を使用せずに、固定部材により断熱材と瓦とを固定するため、解体が容易で、従って、修繕やリフォームが容易であるばかりでなく、廃棄処理やリサイクルも容易である。
【００２４】
更に、本発明は作業中において、作業者は固定部材上を歩いて移動できるので、断熱材上を歩いて滑って怪我をしたり、断熱材が局部的に窪んだり変形して断熱性能が低下するといったトラブルが防止される。
【発明を実施するための最良の形態】
【００２５】
本発明の断熱材固定部材は、膨出部からなる瓦支持部と、その下部の片側又は両側に長さ方向に対して略垂直方向に延設された断熱材支持部とからなることを特徴とする。断熱材支持部を片側に設けた断熱材固定部材は、屋根の端部で使用される。
【００２６】
断熱材固定部材の素材は特に制限されず、例えば合成樹脂、発泡合成樹脂、ゴム、金属、木材等が挙げられるが、耐久性、軽量性、成形性、経済性等の点で発泡合成樹脂が好ましい。
【００２７】
発泡合成樹脂としては特に制限されず、例えば、ポリスチレン系樹脂、ポリウレタン樹脂、ポリエチレン、ポリプロピレン等のポリオレフィン系樹脂、ポリ塩化ビニル樹脂等が挙げられ、特に適度な剛性を有するポリスチレン系樹脂、ポリプロピレンが好ましい。
発泡倍率も特に制限されないが、強度物性からは２〜１０倍程度が好ましく、釘止めができる点からは２〜３倍程度がより好ましい。
【００２８】
本発明の断熱材固定部材のサイズは特に制限されないが、例えば膨出部からなる瓦支持部は巾１〜１０ｃｍ、長さ３０〜４００ｃｍ、高さ２〜１０ｃｍ程度のものが、また瓦支持部の下部の両側に延設される断熱材支持部は巾０．５〜３ｃｍ、高さ（厚さ）０．２〜１ｃｍ程度のものが施工性、取扱性の点から好ましい。
【００２９】
また、膨出部からなる瓦支持部には上面に瓦係合部を設けると瓦の瓦支持部への固定が容易になるので好ましい。瓦係合部は瓦の引っ掛け部が引っ掛かるように設けられる。また、瓦支持部を形成する膨出部の側壁又は断熱材支持部又はその両方に断熱材係合部を設けると断熱材の断熱材支持部への配設が容易になるので好ましい。この場合の係合部は、凹凸による係合、圧着による係合等が挙げられるが、前記膨出部の側壁に凸部を設け、断熱材には凹部を設けずに弾性変形を利用して圧入、圧着する方法が、断熱材には凹部を設ける手間が省けるので好ましい。
【００３０】
また、断熱材固定部材の裏面には、長さ方向に対して略垂直方向に、即ち屋根勾配の方向に排水溝を設けるのが好ましい。排水溝は、例えば高さ２〜５ｍｍの凹部を適宜間隔を置いて複数個設けるのが好ましい。例えば、瓦の隙間から雨水が侵入したとしても、この排水溝を通じて防水シート上を流下する。
【００３１】
上記断熱材固定部材を用いて瓦屋根の外断熱を施工するには、まず断熱材固定部材を野地板上に敷設した防水シート上に配設し、釘等の固定手段により野地板やたる木に固定し、次いで、前記断熱材固定部材の断熱材支持部上に断熱材を配設し、更に、前記断熱材固定部材の膨出部からなる瓦支持部に瓦を配設し、釘等の固定手段により前記断熱材固定部材及び／又は野地板に固定する。
【００３２】
本発明に用いられる瓦は特に制限されず、例えば、粘土瓦、陶器瓦、プレスセメント瓦、コンクリート瓦、金属製瓦、化粧スレート瓦等の屋根材が挙げられる。
【００３３】
本発明に用いられる断熱材は特に制限されず、上記した発泡合成樹脂が挙げられる。断熱材の発泡倍率は、断熱性、強度物性、価格等から、３０〜５０倍程度が好ましい。
【００３４】
また、防水シートは特に制限されず、例えば、アスファルトルーフィング、ゴムアスルーフィング、ゴムシート、プラスチックシート等の防水材料が挙げられる。
【００３５】
以下、実施例を挙げて本発明を更に詳細に説明するが、本発明はかかる実施例のみに制限されないことは云うまでもない。
【実施例】
【００３６】
実施例１
本実施例の断熱材固定部材１は、図１に示すように、膨出部からなる瓦支持部２と、その下部の両側に、長さ方向に対して略垂直方向に延設された断熱材支持部３ａ、３ｂとから構成され、図２に示すように、固定部材１の裏面には、排水溝４が設けられている。
上記構成の断熱材固定部材１は、野地板５の上に敷設された防水シート６の上に釘７により野地板５に固定し、両側の断熱材支持部３ａ、３ｂには断熱材８ａ、８ｂを配設し、更に、瓦支持部２には瓦９が釘１０により固定部材１に固定されている。
この場合、断熱材８ａ、８ｂは僅かに大きめのものを用い、瓦支持部２の膨出部の側壁に圧着するように配設するのが好ましい。
【００３７】
実施例２
本実施例の断熱材固定部材１は、図３に示すように、断熱材固定部材１の瓦支持部２を形成する膨出部側壁に係合部（凸部：クサビ型）１１ａ、１１ｂを設け、断熱材８ａ、８ｂにそれぞれ該係合部１１ａ、１１ｂに嵌合する係合部（凹部：クサビ型）１２ａ、１２ｂを設け、水平方向且つ両側から、断熱材８ａ、８ｂの係合部（凹部）１２ａ、１２ｂを固定部材１の係合部（凸部）１１ａ、１１ｂと係合させて断熱材支持部３ａ、３ｂに断熱材８ａ、８ｂを配設し、更に瓦支持部２に設けた係合部１３に瓦９を係合させた他は実施例１と同様である。
尚、本例の場合は、断熱材８ａ、８ｂには係合部１２ａ、１２ｂを設けず、２点鎖線で示すように、斜め上方から断熱材８ａ、８ｂ（図では８ｂのみ示す）を瓦支持部２の膨出部側壁に当接し、係合部（凸部）１１ａ、１１ｂ及び断熱材８ａ、８ｂの弾性変形を利用して断熱材８ａ、８ｂを圧入すると、断熱材８ａ、８ｂに係合部１２ａ、１２ｂを設ける手間が省けるので好ましい。
【００３８】
実施例３
本実施例の断熱材固定部材１は、図４に示すように、該固定部材１の断熱材支持部３ａ、３ｂにそれぞれ係合部（凸部：球型）１４ａ、１４ｂを設け、断熱材８ａ、８ｂに該係合部１４ａ、１４ｂに係合する係合部（凹部：球型）１５ａ、１５ｂを設け、断熱材８ａ、８ｂを上方から固定部材１の瓦支持部２の膨出部側壁に沿って断熱材８ａ、８ｂの係合部（凹部）１５ａ、１５ｂを断熱材支持部の係合部（凸部）１４ａ、１４ｂにそれぞれ係合させて断熱材支持部３ａ、３ｂに断熱材８ａ、８ｂを圧入係合させた他は実施例２と同様である。
【００３９】
実施例４
本実施例の断熱材固定部材１は、図５に示すように、該固定部材１の瓦支持部２の膨出部側壁の一方側には係合部（半球状凸部）１６ａ、他方側には係合部（円弧状凸部）１６ｂを設け、断熱材８ａは上方又は２点鎖線で示すように斜め上方から係合部１６ａ及び断熱材８ａの弾性変形を利用して断熱材支持部３ａに圧入固定し、一方、断熱材８ｂは上方から係合部（円弧状凸部）１６ｂに沿って係合部１６ｂ及び断熱材８ｂの弾性変形を利用して断熱材支持部３ｂに圧入固定し、瓦９は、固定部材１とともに野地板５に釘７により固定された桟木１８を介して釘１０により瓦支持部２に固定されている。
【００４０】
実施例５
本実施例は、図６に示すように、瓦９が断熱材固定部材１の瓦支持部２の係合部１３に係合されるとともに、長釘１０により断熱材８ｂ及び固定部材１の断熱材支持部３ｂを介して野地板５に固定されている他は実施例４と同様である。
【００４１】
実施例６
本実施例は、図７に示すように、断熱材固定部材１の瓦支持部２の両端部に断熱材抑え部１７ａ、１７ｂを延設し、断熱材８ａ、８ｂを２点鎖線で示すように、斜め上方から断熱材支持部３ａ、３ｂに配設し、断熱材８ａ、８ｂを断熱材抑え部１７ａ、１７ｂにより固定されている他は実施例１と同様である。
【産業上の利用可能性】
【００４２】
叙上のとおり、本発明の断熱材固定部材は極めて簡単な構造からなり、しかも接着剤を使用することなく物理的に固定する方式であるので、作業性が飛躍的に向上し、また接着剤の耐久性に左右されないので、耐久性が向上し、更に解体が容易であるので修繕やリフォームのみならず廃棄処理やリサイクルも容易である。
【図面の簡単な説明】
【００４３】
【図１】本発明の実施例を示す概略断面図である。
【図２】図１における断熱材固定部材の側面図である。
【図３】本発明の他の実施例を示す概略断面図である。
【図４】本発明の他の実施例を示す概略断面図である。
【図５】本発明の他の実施例を示す概略断面図である。
【図６】本発明の他の実施例を示す概略断面図である。
【図７】本発明の他の実施例を示す概略断面図である。
【符号の説明】
【００４４】
１  断熱材固定部材
２  瓦支持部
３ａ、３ｂ  断熱材支持部
４  排水溝
５  野地板
６  防水シート
７  釘
８ａ、８ｂ  断熱材
９  瓦
９、１０  釘
１１ａ、１１ｂ  瓦支持部の膨出部側壁の係合部
１２ａ、１２ｂ  断熱材の係合部
１３  瓦支持部の係合部
１４ａ、１４ｂ  断熱材支持部の係合部
１５ａ、１５ｂ  断熱材の係合部
１６ａ  瓦支持部の膨出部側壁の係合部
１６ｂ  瓦支持部の膨出部側壁の係合部
１７ａ、１７ｂ  断熱材抑え部
１８  桟木
【図１】
2005054431.tif 000003
【図２】
2005054431.tif 000004
【図３】
2005054431.tif 000005
【図４】
2005054431.tif 000006
【図５】
2005054431.tif 000007
【図６】
2005054431.tif 000008
【図７】
2005054431.tif 000009